(57)【要約】【課題】  携帯に便利なフラッシュライトを提供する。【解決手段】  設置台１、照明器具２及びランプシェード３により構成する。該照明器具には回路板２０を設け、該回路板上には数個のLED２２及びスイッチ２３を設け、また該回路板下方には電気接続端子２４を設けて、該設置台に設けた大貫通孔１２を介して9V電池４の電気接続端子４０に嵌合接続する。該照明器具を該設置台上に設置して、該ランプシェードを該照明器具上方に設置して、ＬＥＤを灯孔３１から発光するよう配置してこれらを一体とした携帯用照明手段とするほか、卓上などにおいて使用でき、また、ランプシェードに種々デザインを施してアクセサリーとすることができる。【選択図】  図１
0003106542.tif 000002
【実用新案登録請求の範囲】
【請求項１】
設置台、照明器具、ランプシェードからなり、
該照明器具には回路板を設け、該回路板上には数個のLED及びスイッチを設け、また該回路板下方には電気接続端子を設けて、該設置台に設けた大貫通孔を介して9V電池の電気接続端子に嵌合接続し、
該照明器具を該設置台上に設置すると共に、該ランプシェードを該照明器具上方に蓋として配置してこれらを一体としてなることにより、該9V電池を把持部として携帯の便を図ったことを特徴とするフラッシュライト。
【請求項２】
前記ランプシェード上に掛孔を形成してチェーンを前記ランプシェードの掛孔に通すことにより、アクセサリーとして身につけることができるようにしたことを特徴とする請求項１記載のフラッシュライト。
【請求項３】
前記ランプシェード底面に端縁を設けると共に前記設置台上面に階段状縁を設けて蓋合せしめ、前記ランプシェード上には前記照明器具のLEDに対応する数個の灯孔、及び前記照明器具のスイッチを穿出させる穿孔を設けてなることを特徴とする請求項１記載のフラッシュライト。
【考案の詳細な説明】
【技術分野】
【０００１】
本考案は一種のフラッシュライトに関する。特に一種の設置台、照明器具及びランプシェードにより構成し、該設置台上に大貫通孔を設置し、該照明器具は該設置台上に設置し、該照明器具には回路板を設置し、該回路板上には若干のLED及びスイッチを設置し、また該回路板下方には電気接続端を設置し、該ランプシェードは該設置台及び該照明器具上方に設置し、上記構成部品により使用者は該9V電池を該回路板下方の電気接続端に嵌設し、該スイッチを動かし通電状態とし、さらに該9V電池を手で握るだけで移動照明として使用可能で、或いは該フラッシュライトを固定位置に置き、定点照明として使用可能で、また該9V電池を取外し、チェーンをランプシェードに通すことにより、アクセサリーとして身につけることができる携帯に便利なフラッシュライトに係る。
【背景技術】
【０００２】
一般のフラッシュライトの多くは単純に照明する手段である。それは該フラッシュライト頭部にランプを設け、該フラッシュライト頭部下方のハンドル内に電池を収容して、スイッチの開閉により該フラッシュライトは照明としの役割を果たすものである。該公知のフラッシュライトは純粋に照明のみを提供する道具であるため、使用しない時には收納ボックス或いは工具箱内に収納されている。
上記のように公知のフラッシュライトが携帯の便が悪いことに鑑み、該フラッシュライトの体積を縮小し、キーホルダーチェーンを取り付け、カギを吊下げることができるフラッシュライトが開発された。このような構造のフラッシュライトは携帯には便利であるが、その目的は使用上の利便性、操作の単純化であるため、通常は単純な照明機能だけを提供可能である。しかもその外形もまた公知のフラッシュライトの縮小版にすぎず、デザインが美しくない。さらにしばしば多くのカギと共に吊下げられるため、恒常的にぶつかり、收納時には圧迫され、部品の脱落、構造の損壊により照明機能を提供することができなくなる恐れもある。
【特許文献１】特開平１１−７８０２号公報
【考案の開示】
【考案が解決しようとする課題】
【０００３】
公知構造には以下の欠点があった。
すなわち公知のフラッシュライトの携帯の便の悪さを改善しようと、該フラッシュライトを小型化し、キーホルダーチェーンによりカギを吊下げ可能なフラッシュライトが開発されたが、単純な照明機能だけを提供可能で、デザインが美しくない。さらにカギと共に吊下げられるためぶつかり、收納時には圧迫され、部品の脱落、構造の損壊により照明機能を消失することがある
本考案は上記構造の問題点を解決したフラッシュライトを提供するものである。
【課題を解決するための手段】
【０００４】
上記課題を解決するため、本考案は下記のフラッシュライトを提供する。
それは主に携帯、移動照射に便利で、或いは固定位置に置き定点照明として使用可能で、またアクセサリーとして身につけることもできる。
すなわち本考案は設置台を含み、該設置台上には大貫通孔を設置し、照明器具は該設置台上に設置し、該照明器具は回路板を設置し、該回路板上には若干のLED及びスイッチを設置し、また該回路板下方には電気接続端を設置し、ランプシェードは該設置台及び該照明器具上方に設置することを特徴とするフラッシュライトである。
【考案の効果】
【０００５】
上記のように、本考案の構造はシンプルで、組立てをスピーディーに行うことができ、さらに使用操作が便利で9V電池のジョイントと照明器具の電気接続端を嵌合するだけで、スイッチ操作によりフラッシュライトを点灯/消灯させることができる。また本考案は9V電池を手で握り移動照明として使用し、或いは固定位置に置き定点照明とすることもでき、携帯に便利でいつでも取り出して使用可能である。さらに本考案はチェーン或いは紐或いはその他の固定部品により、ランプシェードをアクセサリーとすることができ、身につける、或いは壁面に掛けることができる。加えて本考案のランプシェードの形状はてんとう虫、カメなどのかわいい動物などの形状、或いはその他の神灯、くだものなどの独創的な形状とし、フラッシュライトとして使用しない時にはテーブルや棚の上に置き装飾品として使用することもできる。また本考案はマルチ機能を具え、かつランプシェードの様々な設計により、多種の形状とすることができ、構造全体の視覚好感度と同時に物品の質感を高め、延いては付加価値を向上させることができる。
【考案を実施するための最良の形態】
【０００６】
図１、２、３にに示すように、本考案は主に設置台1、照明器具2、ランプシェード3、9V電池4を含む。
該設置台1には凹室10を設置し、該凹室10両側にはそれぞれ突起ブロック11を設置する。別に該設置台1は中央の適当な位置において大貫通孔12を設置し、該設置台1は外側において階段状縁13を設置する。
該照明器具2は、該設置台1の凹室10上に配置し、該照明器具2は、回路板20を設け、その両側には該設置台1の突起ブロック11と対応する小貫通孔21を設けて嵌合する。また、該回路板20上には数個のLED22及びスイッチ23を設置し、該回路板20底面には該設置台1の大貫通孔12対応と対応して電気接続端子24を設ける。
該ランプシェード3は、該設置台1及び照明器具2上方に蓋設し、該ランプシェード3底面には端縁30を設けて、該設置台1の階段状縁13上においてちょうど蓋合する。該ランプシェード3上には該照明器具2のLED22と対応する数個の灯孔31を形成する。該ランプシェード3の一端には穿孔32を設けて該照明器具2のスイッチ23を突出させる。また、該ランプシェード3の相対する反対端には掛孔33を形成する。
該9V電池4は、該設置台1下方に設けて、該9V電池4上端にはジョイント40を設けて該照明器具2の電気接続端24と嵌設する。
【０００７】
組立て時には図１、２、３に示すように、先ず該照明器具2の回路板20を該設置台1の凹室10上に設置し、該回路板20両側の小貫通孔21と該設置台1の突起ブロック11を対応させ嵌合固定する。これにより該電気接続端子24は設置台1の大貫通孔12から露出し、次に該ランプシェード3を設置台1上に蓋合する。かつ、該照明器具2のLED22を該ランプシェード3の灯孔31に合わせ、及び該照明器具2のスイッチ23を該ランプシェード3の穿孔32から突出させ、最後に該9V電池4のジョイント40と該照明器具2の電気接続端24を嵌合し、こうしてフラッシュライトを構成する。
【０００８】
使用時には、図４、５、６に示すように、該9V電池4(図４参照)を手で握り、該スイッチ23を入れ通電状態とするだけで、便利に手で持ち移動させながら照射することができる。或いは該フラッシュライトをテーブル上などに固定し、定点照明として使用することもできる。
また該9V電池4を取り外し、チェーン5をランプシェード3の掛孔33に通し、アクセサリーとして身につけることもできる(図５参照)。
さらに、該ランプシェード3は透明なランプシェード3(図６参照)とすることができ、これにより該照明器具2のLED22は該透明のランプシェード3の全面から透光する。
かつ該ランプシェード3の形状はてんとう虫、カメなどのかわいい動物などの形状、或いはその他の神灯、果物などの独創的な形状とし、本考案の商品価値を高めることができる。
【図面の簡単な説明】
【０００９】
【図１】本考案の立体分解図である。
【図２】本考案の組合図である。
【図３】本考案の組合断面図である。
【図４】本考案の使用状態参考図である。
【図５】本考案をアクセサリーとして身につけた状態の参考図である。
【図６】本考案に透明のランプシェードを実施する状態の指示図である。
【符号の説明】
【００１０】
1   設置台
10凹室
11突起ブロック
12大貫通孔
13  階段状縁
2   照明器具
20回路板
21小貫通孔
22LED
23スイッチ
24電気接続端
3   ランプシェード
30端縁
31灯孔
32穿孔
33  掛孔
49V電池
40  ジョイント
5   チェーン
【図１】
0003106542.tif 000003
【図２】
0003106542.tif 000004
【図３】
0003106542.tif 000005
【図４】
0003106542.tif 000006
【図５】
0003106542.tif 000007
【図６】
0003106542.tif 000008